【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
第1の入口チャネルと、
第2の入口チャネルと、
第1の出口チャネルと、
第2の出口チャネルと、
第1のポンプと、
第2のポンプと、
第1の容器の内部が第1の入口チャネルと流体連通し、第2の容器の内部が第2の入口チャネルと流体連通するように、第1の容器および第2の容器に連結するように構成された、本体と
を含む流体送達組立体であって、
流体を有する第1の容器および流体を有する第2の容器が本体に連結される場合、少なくとも1回の作動により、流体を第1の容器から第1の入口チャネルを通って第1の出口チャネルから外へ、かつ流体を第2の容器から第2の入口チャネルを通って第2の出口チャネルから外へ、連続的に送り出すように構成された、流体送達組立体。
【請求項２】
第1の容器からの流体および第2の容器からの流体が、組立体の連続作動により送り出される、請求項1記載の組立体。
【請求項３】
第1の容器からの流体および第2の容器からの流体が、組立体の1回の作動により送り出される、請求項1記載の組立体。
【請求項４】
ポンプが、ボタンを押圧することにより作動するように構成される、請求項1記載の組立体。
【請求項５】
第1の出口チャネルおよび第2の出口チャネルが隣接する、請求項1記載の組立体。
【請求項６】
第1の出口チャネルおよび第2の出口チャネルが平行である、請求項1記載の組立体。
【請求項７】
第1の出口チャネルおよび第2の出口チャネルが本体から延びている、請求項1記載の組立体。
【請求項８】
第1の出口チャネルおよび第2の出口チャネルの少なくとも1つが、流体を霧化するように構成される、請求項1記載の組立体。
【請求項９】
本体が第1の容器および第2の容器に連結されているとき、第1の容器および第2の容器の少なくとも1つが溶液を含有している、請求項1記載の組立体。
【請求項１０】
溶液が細胞の懸濁液を含む、請求項9記載の組立体。
【請求項１１】
溶液がフィブリノゲンを含む、請求項9記載の組立体。
【請求項１２】
溶液がトロンビンを含む、請求項9記載の組立体。
【請求項１３】
溶液がヒトの身体に送達可能なものである、請求項9記載の組立体。
【請求項１４】
ボタンを押圧すると第1のポンプおよび第2のポンプを連続的に作動させるように構成された、線形カムドライブ
をさらに含む、請求項4記載の組立体。
【請求項１５】
ボタンを押圧すると第1のポンプおよび第2のポンプを連続的に作動させるように構成された、ラックドライブ
をさらに含む、請求項4記載の組立体。
【請求項１６】
ボタンを押圧すると第1のポンプおよび第2のポンプを連続的に作動させるように構成された、スプリングドライブ
をさらに含む、請求項4記載の組立体。
【請求項１７】
ボタンを押圧すると第1のポンプおよび第2のポンプを連続的に作動させるように構成された、回転カムドライブ
をさらに含む、請求項4記載の組立体。
【請求項１８】
複数の入口チャネルと、
複数の出口チャネルと、
複数のポンプと、
複数の容器の1つの内部が複数の入口チャネルの1つの入口チャネルと流体連通するように、複数の容器に連結するように構成された、本体と
を含む流体送達組立体であって、
それぞれ流体を有する複数の容器が本体に連結される場合、少なくとも1回の作動によって、複数の容器のそれぞれから複数の入口チャネルの各入口チャネルを通って複数の出口チャネルの各出口チャネルから外に流体を連続的に送り出すように構成された、流体送達組立体。
【請求項１９】
流体が、組立体の連続作動によって複数の容器のそれぞれから送り出される、請求項18記載の組立体。
【請求項２０】
流体が、組立体の1回の作動によって複数の容器のそれぞれから送り出される、請求項18記載の組立体。
【請求項２１】
ボタンを押圧することにより作動するように構成される、請求項18記載の組立体。
【請求項２２】
複数の出口チャネルが隣接する、請求項18記載の組立体。
【請求項２３】
複数の出口チャネルが平行である、請求項18記載の組立体。
【請求項２４】
複数の出口チャネルが本体から延びている、請求項18記載の組立体。
【請求項２５】
複数の出口チャネルの少なくとも1つが、流体を霧化するように構成される、請求項18記載の組立体。
【請求項２６】
本体が複数の容器に連結されるとき、複数の容器の少なくとも1つが溶液を含有している、請求項18記載の組立体。
【請求項２７】
溶液が細胞の懸濁液を含む、請求項26記載の組立体。
【請求項２８】
溶液がフィブリノゲンを含む、請求項26記載の組立体。
【請求項２９】
溶液がトロンビンを含む、請求項26記載の組立体。
【請求項３０】
溶液がヒトの身体に送達可能なものである、請求項26記載の組立体。
【請求項３１】
ボタンを押圧すると複数のポンプを連続的に作動させるように構成された、線形カムドライブ
をさらに含む、請求項21記載の組立体。
【請求項３２】
ボタンを押圧すると複数のポンプを連続的に作動させるように構成された、ラックドライブ
をさらに含む、請求項21記載の組立体。
【請求項３３】
ボタンを押圧すると複数のポンプを連続的に作動させるように構成された、スプリングドライブ
をさらに含む、請求項21記載の組立体。
【請求項３４】
ボタンを押圧すると複数のポンプを連続的に作動させるように構成された、回転カムドライブ
をさらに含む、請求項21記載の組立体。
【請求項３５】
第1の入口チャネルと、
第2の入口チャネルと、
第1の出口チャネルと、
第2の出口チャネルと、
流体連通が第1の入口チャネルと第1の出口チャネルとの間で可能でありかつ第2の入口チャネルと第2の出口チャネルの間では妨げられている第1の構成と、流体連通が第2の入口チャネルと第2の出口チャネルとの間で可能でありかつ第1の入口チャネルと第1の出口チャネルの間では妨げられている第2の構成との間で作動するように構成された、第1の入口チャネル、第2の入口チャネル、第1の出口チャネル、および第2の出口チャネルに連結された少なくとも1つの弁と、
少なくとも1つの弁に連結され、かつ第1の容器の内部が第1の入口チャネルと流体連通しかつ第2の容器の内部が第2の入口チャネルと流体連通するように第1の容器および第2の容器に連結されるように構成された、本体と、
第1の流体を有する第1の容器および第2の流体を有する第2の容器が本体に連結される場合に、少なくとも1つの弁が第1の構成をとっている場合、第1の容器から第1の入口チャネルおよび少なくとも1つの弁を通って第1の出口チャネルから外に第1の流体を送り出し、かつ少なくとも1つの弁が第2の構成をとっている場合、第2の容器から第2の入口チャネルを通って第2の出口チャネルから外に第2の流体を送り出すように構成されている、本体に連結された少なくとも1つのポンプと
を含む、流体送達組立体。
【請求項３６】
少なくとも1つの弁が、組立体の連続作動によって第1の構成および第2の構成の間で交互に開く、請求項35記載の組立体。
【請求項３７】
少なくとも1つの弁が、組立体の1回の作動により第1の構成および第2の構成の間で交互に開く、請求項35記載の組立体。
【請求項３８】
ボタンを押圧することにより作動するように構成される、請求項35記載の組立体。
【請求項３９】
第1の出口チャネルおよび第2の出口チャネルが隣接する、請求項35記載の組立体。
【請求項４０】
第1の出口チャネルおよび第2の出口チャネルが平行である、請求項35記載の組立体。
【請求項４１】
第1の出口チャネルおよび第2の出口チャネルが本体から延びている、請求項35記載の組立体。
【請求項４２】
第1の出口チャネルおよび第2の出口チャネルの少なくとも1つが、流体を霧化するように構成される、請求項35記載の組立体。
【請求項４３】
本体が第1の容器および第2の容器に連結されるとき、第1の容器および第2の容器の少なくとも1つが溶液を含有している、請求項35記載の組立体。
【請求項４４】
溶液が細胞の懸濁液を含む、請求項43記載の組立体。
【請求項４５】
溶液がフィブリノゲンを含む、請求項43記載の組立体。
【請求項４６】
溶液がトロンビンを含む、請求項43記載の組立体。
【請求項４７】
溶液が、ヒトの身体に送達可能なものである、請求項43記載の組立体。
【請求項４８】
複数の入口チャネルと、
複数の出口チャネルと、
複数の構成間で作動するように構成されている、複数の入口チャネルおよび複数の出口チャネルに連結された少なくとも1つの弁であって、各構成が複数の入口チャネルの1つと複数の出口チャネルの1つとの間で流体連通を可能にし、かつ複数の入口チャネルのその他と複数の出口チャネルのその他との間で流体連通を妨げる、少なくとも1つの弁と、
少なくとも1つの弁に連結され、かつ複数の容器のそれぞれの内部が複数の入口チャネルの各入口チャネルと流体連通するように複数の容器に連結するように構成された、本体と、 
流体を有する複数の容器が本体に連結される場合に、複数の構成のそれぞれにおいて複数の容器のそれぞれから複数の入口チャネルの各入口チャネルを通って複数の出口チャネルの各出口チャネルから外に送り出すよう構成されるように、本体に連結された、少なくとも1つのポンプと
を含む、流体送達組立体。
【請求項４９】
少なくとも1つの弁が、組立体の連続作動によって複数の構成の間で交互に開く、請求項48記載の組立体。
【請求項５０】
少なくとも1つの弁が、組立体の1回の作動により複数の構成の間で交互に開く、請求項48記載の組立体。
【請求項５１】
ボタンを押圧することにより作動するように構成される、請求項48記載の組立体。
【請求項５２】
複数の出口チャネルが隣接する、請求項48記載の組立体。
【請求項５３】
複数の出口チャネルが平行である、請求項48記載の組立体。
【請求項５４】
複数の出口チャネルが本体から延びている、請求項48記載の組立体。
【請求項５５】
複数の出口チャネルの少なくとも1つが、流体を霧化するように構成される、請求項48記載の組立体。
【請求項５６】
本体が流体を含有する複数の容器に連結されるとき、複数の容器の少なくとも1つが溶液を含有している、請求項48記載の組立体。
【請求項５７】
溶液が細胞の懸濁液を含む、請求項56記載の組立体。
【請求項５８】
溶液がフィブリノゲンを含む、請求項56記載の組立体。
【請求項５９】
溶液がトロンビンを含む、請求項56記載の組立体。
【請求項６０】
溶液が、ヒトの身体に送達可能なものである、請求項56記載の組立体。
【請求項６１】
流体を含む複数の容器を流体送達組立体に連結する段階であって、流体送達組立体が、
複数の入口チャネル、
複数の出口チャネル、
複数の構成間で交互に開くように構成された少なくとも1つの弁であって、各構成が複数の入口チャネルの1つと複数の出口チャネルの1つとの間で流体連通を可能にし、かつ複数の入口チャネルのその他と複数の出口チャネルのその他との間で流体連通を妨げる、少なくとも1つの弁、および
少なくとも1つのポンプ
を含む、段階、ならびに
少なくとも1つのポンプを作動させ、複数の容器のそれぞれから対応する入口チャネルを通って出口チャネルから外に連続的に送り出す段階
を含む、ヒトの身体に流体を送達する方法。
【請求項６２】
少なくとも1つの弁が、組立体の連続作動により複数の構成間で交互に開く、請求項61記載の方法。
【請求項６３】
少なくとも1つの弁が、組立体の1回の作動により複数の構成間で交互に開く、請求項61記載の方法。
【請求項６４】
組立体が、ボタンを押圧することにより作動するように構成される、請求項61記載の方法。
【請求項６５】
複数の容器の少なくとも1つが溶液を含有する、請求項61記載の方法。
【請求項６６】
溶液が細胞の懸濁液を含む、請求項65記載の方法。
【請求項６７】
溶液がフィブリノゲンを含む、請求項65記載の方法。
【請求項６８】
溶液がトロンビンを含む、請求項65記載の方法。
【請求項６９】
溶液がヒトの身体に送達可能なものである、請求項65記載の方法。
【請求項７０】
流体を含有する複数の容器を、複数の入口チャネル、複数の出口チャネル、および複数のポンプを含む流体送達組立体に連結する段階、ならびに
複数のポンプを作動させ、複数の容器のそれぞれから対応する入口チャネルを通って出口チャネルから外に連続的に送り出す段階
を含む、ヒトの身体に流体を送達する方法。
【請求項７１】
複数のポンプが、組立体の連続作動によって複数の容器のそれぞれから送り出す、請求項70記載の方法。
【請求項７２】
複数のポンプが、組立体の1回の作動によって複数の容器のそれぞれから送り出す、請求項70記載の方法。
【請求項７３】
組立体が、ボタンを押圧することにより作動するように構成される、請求項70記載の方法。
【請求項７４】
複数の容器の少なくとも1つが溶液を含有する、請求項70記載の方法。
【請求項７５】
溶液が細胞の懸濁液を含む、請求項74記載の方法。
【請求項７６】
溶液がフィブリノゲンを含む、請求項74記載の方法。
【請求項７７】
溶液がトロンビンを含む、請求項74記載の方法。
【請求項７８】
溶液が、ヒトの身体に送達可能なものである、請求項74記載の方法。
【手続補正２】
【補正対象書類名】明細書
【補正対象項目名】００１３
【補正方法】変更
【補正の内容】
【００１３】
[本発明1001]
第1の入口チャネルと、
第2の入口チャネルと、
第1の出口チャネルと、
第2の出口チャネルと、
第1のポンプと、
第2のポンプと、
第1の容器の内部が第1の入口チャネルと流体連通し、第2の容器の内部が第2の入口チャネルと流体連通するように、第1の容器および第2の容器に連結するように構成された、本体と
を含む流体送達組立体であって、
流体を有する第1の容器および流体を有する第2の容器が本体に連結される場合、少なくとも1回の作動により、流体を第1の容器から第1の入口チャネルを通って第1の出口チャネルから外へ、かつ流体を第2の容器から第2の入口チャネルを通って第2の出口チャネルから外へ、連続的に送り出すように構成された、流体送達組立体。
[本発明1002]
第1の容器からの流体および第2の容器からの流体が、組立体の連続作動により送り出される、本発明1001の組立体。
[本発明1003]
第1の容器からの流体および第2の容器からの流体が、組立体の1回の作動により送り出される、本発明1001の組立体。
[本発明1004]
ポンプが、ボタンを押圧することにより作動するように構成される、本発明1001の組立体。
[本発明1005]
第1の出口チャネルおよび第2の出口チャネルが隣接する、本発明1001の組立体。
[本発明1006]
第1の出口チャネルおよび第2の出口チャネルが平行である、本発明1001の組立体。
[本発明1007]
第1の出口チャネルおよび第2の出口チャネルが本体から延びている、本発明1001の組立体。
[本発明1008]
第1の出口チャネルおよび第2の出口チャネルの少なくとも1つが、流体を霧化するように構成される、本発明1001の組立体。
[本発明1009]
本体が第1の容器および第2の容器に連結されているとき、第1の容器および第2の容器の少なくとも1つが溶液を含有している、本発明1001の組立体。
[本発明1010]
溶液が細胞の懸濁液を含む、本発明1009の組立体。
[本発明1011]
溶液がフィブリノゲンを含む、本発明1009の組立体。
[本発明1012]
溶液がトロンビンを含む、本発明1009の組立体。
[本発明1013]
溶液がヒトの身体に送達可能なものである、本発明1009の組立体。
[本発明1014]
ボタンを押圧すると第1のポンプおよび第2のポンプを連続的に作動させるように構成された、線形カムドライブ
をさらに含む、本発明1004の組立体。
[本発明1015]
ボタンを押圧すると第1のポンプおよび第2のポンプを連続的に作動させるように構成された、ラックドライブ
をさらに含む、本発明1004の組立体。
[本発明1016]
ボタンを押圧すると第1のポンプおよび第2のポンプを連続的に作動させるように構成された、スプリングドライブ
をさらに含む、本発明1004の組立体。
[本発明1017]
ボタンを押圧すると第1のポンプおよび第2のポンプを連続的に作動させるように構成された、回転カムドライブ
をさらに含む、本発明1004の組立体。
[本発明1018]
複数の入口チャネルと、
複数の出口チャネルと、
複数のポンプと、
複数の容器の1つの内部が複数の入口チャネルの1つの入口チャネルと流体連通するように、複数の容器に連結するように構成された、本体と
を含む流体送達組立体であって、
それぞれ流体を有する複数の容器が本体に連結される場合、少なくとも1回の作動によって、複数の容器のそれぞれから複数の入口チャネルの各入口チャネルを通って複数の出口チャネルの各出口チャネルから外に流体を連続的に送り出すように構成された、流体送達組立体。
[本発明1019]
流体が、組立体の連続作動によって複数の容器のそれぞれから送り出される、本発明1018の組立体。
[本発明1020]
流体が、組立体の1回の作動によって複数の容器のそれぞれから送り出される、本発明1018の組立体。
[本発明1021]
ボタンを押圧することにより作動するように構成される、本発明1018の組立体。
[本発明1022]
複数の出口チャネルが隣接する、本発明1018の組立体。
[本発明1023]
複数の出口チャネルが平行である、本発明1018の組立体。
[本発明1024]
複数の出口チャネルが本体から延びている、本発明1018の組立体。
[本発明1025]
複数の出口チャネルの少なくとも1つが、流体を霧化するように構成される、本発明1018の組立体。
[本発明1026]
本体が複数の容器に連結されるとき、複数の容器の少なくとも1つが溶液を含有している、本発明1018の組立体。
[本発明1027]
溶液が細胞の懸濁液を含む、本発明1026の組立体。
[本発明1028]
溶液がフィブリノゲンを含む、本発明1026の組立体。
[本発明1029]
溶液がトロンビンを含む、本発明1026の組立体。
[本発明1030]
溶液がヒトの身体に送達可能なものである、本発明1026の組立体。
[本発明1031]
ボタンを押圧すると複数のポンプを連続的に作動させるように構成された、線形カムドライブ
をさらに含む、本発明1021の組立体。
[本発明1032]
ボタンを押圧すると複数のポンプを連続的に作動させるように構成された、ラックドライブ
をさらに含む、本発明1021の組立体。
[本発明1033]
ボタンを押圧すると複数のポンプを連続的に作動させるように構成された、スプリングドライブ
をさらに含む、本発明1021の組立体。
[本発明1034]
ボタンを押圧すると複数のポンプを連続的に作動させるように構成された、回転カムドライブ
をさらに含む、本発明1021の組立体。
[本発明1035]
第1の入口チャネルと、
第2の入口チャネルと、
第1の出口チャネルと、
第2の出口チャネルと、
流体連通が第1の入口チャネルと第1の出口チャネルとの間で可能でありかつ第2の入口チャネルと第2の出口チャネルの間では妨げられている第1の構成と、流体連通が第2の入口チャネルと第2の出口チャネルとの間で可能でありかつ第1の入口チャネルと第1の出口チャネルの間では妨げられている第2の構成との間で作動するように構成された、第1の入口チャネル、第2の入口チャネル、第1の出口チャネル、および第2の出口チャネルに連結された少なくとも1つの弁と、
少なくとも1つの弁に連結され、かつ第1の容器の内部が第1の入口チャネルと流体連通しかつ第2の容器の内部が第2の入口チャネルと流体連通するように第1の容器および第2の容器に連結されるように構成された、本体と、
第1の流体を有する第1の容器および第2の流体を有する第2の容器が本体に連結される場合に、少なくとも1つの弁が第1の構成をとっている場合、第1の容器から第1の入口チャネルおよび少なくとも1つの弁を通って第1の出口チャネルから外に第1の流体を送り出し、かつ少なくとも1つの弁が第2の構成をとっている場合、第2の容器から第2の入口チャネルを通って第2の出口チャネルから外に第2の流体を送り出すように構成されている、本体に連結された少なくとも1つのポンプと
を含む、流体送達組立体。
[本発明1036]
少なくとも1つの弁が、組立体の連続作動によって第1の構成および第2の構成の間で交互に開く、本発明1035の組立体。
[本発明1037]
少なくとも1つの弁が、組立体の1回の作動により第1の構成および第2の構成の間で交互に開く、本発明1035の組立体。
[本発明1038]
ボタンを押圧することにより作動するように構成される、本発明1035の組立体。
[本発明1039]
第1の出口チャネルおよび第2の出口チャネルが隣接する、本発明1035の組立体。
[本発明1040]
第1の出口チャネルおよび第2の出口チャネルが平行である、本発明1035の組立体。
[本発明1041]
第1の出口チャネルおよび第2の出口チャネルが本体から延びている、本発明1035の組立体。
[本発明1042]
第1の出口チャネルおよび第2の出口チャネルの少なくとも1つが、流体を霧化するように構成される、本発明1035の組立体。
[本発明1043]
本体が第1の容器および第2の容器に連結されるとき、第1の容器および第2の容器の少なくとも1つが溶液を含有している、本発明1035の組立体。
[本発明1044]
溶液が細胞の懸濁液を含む、本発明1043の組立体。
[本発明1045]
溶液がフィブリノゲンを含む、本発明1043の組立体。
[本発明1046]
溶液がトロンビンを含む、本発明1043の組立体。
[本発明1047]
溶液が、ヒトの身体に送達可能なものである、本発明1043の組立体。
[本発明1048]
複数の入口チャネルと、
複数の出口チャネルと、
複数の構成間で作動するように構成されている、複数の入口チャネルおよび複数の出口チャネルに連結された少なくとも1つの弁であって、各構成が複数の入口チャネルの1つと複数の出口チャネルの1つとの間で流体連通を可能にし、かつ複数の入口チャネルのその他と複数の出口チャネルのその他との間で流体連通を妨げる、少なくとも1つの弁と、
少なくとも1つの弁に連結され、かつ複数の容器のそれぞれの内部が複数の入口チャネルの各入口チャネルと流体連通するように複数の容器に連結するように構成された、本体と、 
流体を有する複数の容器が本体に連結される場合に、複数の構成のそれぞれにおいて複数の容器のそれぞれから複数の入口チャネルの各入口チャネルを通って複数の出口チャネルの各出口チャネルから外に送り出すよう構成されるように、本体に連結された、少なくとも1つのポンプと
を含む、流体送達組立体。
[本発明1049]
少なくとも1つの弁が、組立体の連続作動によって複数の構成の間で交互に開く、本発明1048の組立体。
[本発明1050]
少なくとも1つの弁が、組立体の1回の作動により複数の構成の間で交互に開く、本発明1048の組立体。
[本発明1051]
ボタンを押圧することにより作動するように構成される、本発明1048の組立体。
[本発明1052]
複数の出口チャネルが隣接する、本発明1048の組立体。
[本発明1053]
複数の出口チャネルが平行である、本発明1048の組立体。
[本発明1054]
複数の出口チャネルが本体から延びている、本発明1048の組立体。
[本発明1055]
複数の出口チャネルの少なくとも1つが、流体を霧化するように構成される、本発明1048の組立体。
[本発明1056]
本体が流体を含有する複数の容器に連結されるとき、複数の容器の少なくとも1つが溶液を含有している、本発明1048の組立体。
[本発明1057]
溶液が細胞の懸濁液を含む、本発明1056の組立体。
[本発明1058]
溶液がフィブリノゲンを含む、本発明1056の組立体。
[本発明1059]
溶液がトロンビンを含む、本発明1056の組立体。
[本発明1060]
溶液が、ヒトの身体に送達可能なものである、本発明1056の組立体。
[本発明1061]
流体を含む複数の容器を流体送達組立体に連結する段階であって、流体送達組立体が、
複数の入口チャネル、
複数の出口チャネル、および
複数の構成間で交互に開くように構成された少なくとも1つの弁であって、各構成が複数の入口チャネルの1つと複数の出口チャネルの1つとの間で流体連通を可能にし、かつ複数の入口チャネルのその他と複数の出口チャネルのその他との間で流体連通を妨げる、少なくとも1つの弁
を含む、段階、ならびに
少なくとも1つのポンプを作動させ、複数の容器のそれぞれから対応する入口チャネルを通って出口チャネルから外に連続的に送り出す段階
を含む、ヒトの身体に流体を送達する方法。
[本発明1062]
少なくとも1つの弁が、組立体の連続作動により複数の構成間で交互に開く、本発明1061の方法。
[本発明1063]
少なくとも1つの弁が、組立体の1回の作動により複数の構成間で交互に開く、本発明1061の方法。
[本発明1064]
組立体が、ボタンを押圧することにより作動するように構成される、本発明1061の方法。
[本発明1065]
複数の容器の少なくとも1つが溶液を含有する、本発明1061の方法。
[本発明1066]
溶液が細胞の懸濁液を含む、本発明1065の方法。
[本発明1067]
溶液がフィブリノゲンを含む、本発明1065の方法。
[本発明1068]
溶液がトロンビンを含む、本発明1065の方法。
[本発明1069]
溶液がヒトの身体に送達可能なものである、本発明1065の方法。
[本発明1070]
流体を含有する複数の容器を、複数の入口チャネル、複数の出口チャネル、および複数のポンプを含む流体送達組立体に連結する段階、ならびに
複数のポンプを作動させ、複数の容器のそれぞれから対応する入口チャネルを通って出口チャネルから外に連続的に送り出す段階
を含む、ヒトの身体に流体を送達する方法。
[本発明1071]
複数のポンプが、組立体の連続作動によって複数の容器のそれぞれから送り出す、本発明1070の方法。
[本発明1072]
複数のポンプが、組立体の1回の作動によって複数の容器のそれぞれから送り出す、本発明1070の方法。
[本発明1073]
組立体が、ボタンを押圧することにより作動するように構成される、本発明1070の方法。
[本発明1074]
複数の容器の少なくとも1つが溶液を含有する、本発明1070の方法。
[本発明1075]
溶液が細胞の懸濁液を含む、本発明1074の方法。
[本発明1076]
溶液がフィブリノゲンを含む、本発明1074の方法。
[本発明1077]
溶液がトロンビンを含む、本発明1074の方法。
[本発明1078]
溶液が、ヒトの身体に送達可能なものである、本発明1074の方法。
上記態様および他の態様に関連する詳細を以下に示す。